(57)【要約】      （修正有）【課題】ラチェットレンチを作業用ケース装着した人に触れるおそれのない向きになるようにする作業用ケースを提供する。【解決手段】ラチェットレンチ２８を通す無底のラチェットレンチ挿通空間２２を有し、ラチェットレンチの向きを作業用ケース装着者に触れない方向に規定する向き規定手段３２を設ける。【選択図】図１
0003162053.tif 000002
【実用新案登録請求の範囲】
【請求項１】
基板の上部にベルト挿通部を有しこのベルト挿通部に通されたベルトにより吊り下げられ、基板の表面部に少なくともラチェットレンチ挿通部形成片がその基板表面部との間に無底のラチェットレンチ挿通空間ができるように固定された作業用ケースであって、
ラチェットレンチの向きを作業用ケース装着者に触れない方向にする向き規定手段を有する
ことを特徴とする作業用ケース。
【考案の詳細な説明】
【技術分野】
【０００１】
本考案は、少なくともラチェットレンチ収納部を備えた作業用ケースに関する。
【背景技術】
【０００２】
工具を入れる作業用ケースについては種々のものがあり［例えば特開２００５−３２７７３３号公報（：特許文献１）］、本願出願人会社は作業用ケースについて開発に努力し、種々の製品を試作した。
図３（Ａ）に示すものはその試作品の一例３ａである。この図３（Ａ）を参照してこの作業用ケース３ａを説明する。
４は例えば皮革からなる基板、６はその基板４の上部で、ベルト挿通孔８ができるように裏側に折り返され上端部を基板４裏面にリベット１０、１０、・・・により固定されている。
【０００３】
１２は工具収納ポケット形成用のポケット形成片で、例えば皮革からなり、基板４との間に有底の工具収納空間１４ができるように、リベット１６及び縫製１８により基板４の表面側に固定されており、例えばミゼットカッター等を収納する。
このような作業用ケース３ａによれば、基板４とポケット形成片１２との間に形成された工具収納空間１８に工具を収納した状態で、建設、建築等の作業に臨み、必要に応じて工具の出し入れができる。
【０００４】
ところで、建設、建築等の作業において、ラチェットレンチを使用するケースが増えている。そして、ラチェットレンチは図３（Ａ）に示すような作業用ケース３ａでは収納できない。
そのため、図３（Ｂ）に示すような作業用ケース３ｂが開発された。この作業用ケース３ｂは、作業用ケース３ａのポケット形成片１２の表面に、例えば皮革からなるラチェットレンチ挿通部形成片２０の側辺を、この形成片２０自身とポケット形成片１２との間に無底のラチェットレンチ挿通空間２２ができるように、例えばリベット２４、２４、・・・により固定されている。
【０００５】
このような作業用ケース３ｂによれば、ポケット形成片１２とラチェットレンチ挿通部形成片２０のとの間に形成された無底のラチェットレンチ挿通空間２２にラチェットレンチ２８を通し、ラチェットレンチ２８の頭部の広い部分をポケット形成片１２の上辺に係合させることにより、収納状態を維持することができる。
そして、工具収納空間１８にある工具を、ラチェットレンチ挿通空間２２にてラチェットレンチ２８を収納した状態で、建設、建築等の作業に臨み、必要に応じて工具の出し入れができる。
【先行技術文献】
【特許文献】
【０００６】
【特許文献１】特開２００５−３２７７３３号公報
【考案の概要】
【考案が解決しようとする課題】
【０００７】
ところで、図３（Ｂ）に示す作業用ケース３ｂによれば、ラチェットレンチ２８と共に別の工具を収納することができるが、実際に製造して使用してみると、ラチェットレンチ２８が細長く重くて先端３０が尖った工具であるので、ラチェットレンチ２８の上から下へ行くに従って作業用ケース３ｂを装着した人に近寄る方向に傾くという問題があった。
そのため、ラチェットレンチ２８の先端がズボンを介して脚に強く触れ、痛み、不快感が生じたり、ズボンが擦れ減ったりするという問題が生じた。これは快適な作業の妨げになるおそれがあるし、安全も脅かされるおそれがあった。
【０００８】
本考案は、そのような問題を解決すべく為されたものであり、ラチェットレンチを通す無底のラチェットレンチ挿通空間を有する作業用ケースにおいて、ラチェットレンチを作業用ケースを装着した人に触れない向きになるようにすることを目的とする。
【課題を解決するための手段】
【０００９】
請求項１の作業用ケースは、基板の上部にベルト挿通部を有しこのベルト挿通部に通されたベルトにより吊り下げられ、基板の表面部に少なくともラチェットレンチ挿通部形成片がその基板表面部との間に無底のラチェットレンチ挿通空間ができるように固定された作業用ケースであって、ラチェットレンチの向きを作業用ケース装着者に触れない方向にする向き規定手段を有することを特徴とする。
【考案の効果】
【００１０】
請求項１の作業用ケースによれば、ラチェットレンチの向きを作業用ケース装着者に触れない方向にする向き規定手段を有するので、ラチェットレンチはラチェットレンチ挿通空間を通されたとき向き規定手段によって、作業用ケース装着者に触れない方向に向きが規定される。
従って、ラチェットレンチの先端が作業用ケース装着者に触れるおそれをなくすことができる。
依って、ラチェットレンチの先端（下端）がズボンを介して脚に強く触れ、痛み、不快感が生じたり、ズボンが擦れ減ったりするおそれがなくなり、快適な作業が妨げられたり、安全が脅かされるするおそれがなくなる。
【図面の簡単な説明】
【００１１】
【図１】（Ａ）、（Ｂ）は、本考案の一つの実施例の作業用ケースを示すものであり、（Ａ）は作業用ケースの斜視図、（Ｂ）は作業用ケースの内部に装着された誘導手段たる誘導片を示す斜視図である。
【図２】上記実施例の作業用ケースを一部を切り欠いて示す斜視図である。
【図３】（Ａ）、（Ｂ）は各々別の背景技術を示す斜視図である。
【考案を実施するための形態】
【００１２】
本考案においては、ラチェットレンチの向きを作業用ケース装着者に触れない方向にする向き規定手段を有するという特徴を有するが、その向き規定手段には種々の形態があり得る。
ラチェットレンチ挿通空間内に、例えば皮革からなる図１（Ｂ）に示すような向き規定片を設け、その向き規定片により作業用ケース装着者に触れない方向に向きを規定するようにするのが一つの形態例である。
【００１３】
また、図２に示すように、ラチェットレンチ挿通部形成片の下部にてリベット等によりラチェットレンチ挿通空間の下部を、そこを通るラチェットレンチの向きが下に行くほど作業用ケース装着者寄りにはならずラチェットレンチが作業用ケース装着者と平行乃至それに近い方向になるよう狭めるようにしても良い。
【００１４】
更には、ラチェットレンチ挿通部形成片にリベットに代えて縫製により、ラチェットレンチ挿通空間の向きを作業用ケース装着者と平行乃至それに近い方向になるよう狭めるようにしても良い。
尚、本考案の作業用ケースは皮革により形成しても良いし、樹脂（プラスチック）、金属その他の別の材料で形成しても良い。特に、基板の上端に金属板を設け、その金属板にベルトを通す一対のベルト挿通孔を形成しそれを以てベルト挿通部を成すようにしても良い。
【００１５】
また、本考案の作業用ケースの製造にあたって、基板にラチェットレンチ挿通部形成片を固定する等、固定手段が必要であるが、その固定手段はリベットを利用するものであっても良いし、皮革の固定、例えば一つの皮革における互いに異なる部分同士の固定や、別の皮革同士を固定する場合にはリベットを用いるようにしても良いし、縫製により固定するようにしても良いし、その両方を用いるようにすることもでき、本考案においては具体的手段の如何は問わないのである。
【００１６】
更に、ベルト挿通部は、基板と一体の皮革等の部材を裏側に折り返してその折り返した部分の先端を固定するようにしても良いが、先端と基板側とに互いに着脱自在に嵌合される部材、例えば金属からなる部材を設け、その部材同士を嵌合したり、嵌合状態を解除することができるようにしても良い。
勿論、ベルト挿通部を金属板により構成し、ベルト挿通孔を設けたものを基板に連結するという実施の形態もあり得る。本考案はベルト挿通部についての実施の形態の如何を問わず、適用でき得る。
【実施例】
【００１７】
以下、本考案の詳細を図示実施例に基いて説明する。
図１（Ａ）、（Ｂ）及び図２は、本考案の一つの実施例２を示すものであり、（Ａ）は作業用ケースの斜視図、（Ｂ）は作業用ケースの内部に装着された向き規定手段たる向き規定片を示す斜視図、図２は一部を切り欠いて示す斜視図である。
４は例えば皮革からなる基板、６はその基板４の上部で、ベルト挿通孔８ができるように裏側に折り返され上端部を基板４裏面にリベット１０、１０、・・・により固定されている。
【００１８】
１２は工具収納ポケット形成用のポケット形成片で、例えば皮革からなり、例えばミゼットカッター等を収納する。このポケット形成片１２は、基板４との間に有底の工具収納空間１４ができるように、リベット１６及び縫製１８により基板４の表面側に固定されている。
従って、このような作業用ケース２によれば、基板４とポケット形成片１２との間に形成された工具収納空間１８に工具を収納した状態で、建設、建築等の作業に臨み、必要に応じて工具の出し入れができる。
【００１９】
２０はラチェットレンチ挿通部形成片で、例えば皮革からなり、ポケット形成片１２の表面に、側辺を、この形成片２０自身とポケット形成片１２との間に無底のラチェットレンチ挿通空間２２ができるように、例えばリベット２４、２４、・・・により固定されている。
３２は例えば皮革からなる向き規定手段を成す矩形状の向き規定片で、上辺部近傍であって横方向における中央部にリベット挿通孔４２を有する。下辺部近傍には横方向における中心を挟んで略等距離に位置する一対のリベット挿通孔４６、４６が形成されている。
【００２０】
上記向き規定片３２は、下辺が横方向における中心に折り曲げられ、そして、上記ラチェットレンチ挿通部形成片２０の下辺近傍に形成された図面に現れない一対のリベット挿通孔の一方、一対のリベット挿通孔４６、４６及び一対のリベット挿通孔の他方に一つのリベット３４を通し、これをカシメることにより、下辺部を上記ラチェットレンチ挿通部形成片２０の内側に固定されている。
また、向き規定片３２は、上辺部をリベット挿通孔４６及びポケット形成片の図面に現れないリベット挿通孔にリベット３６を通し、そのリベット３６をカシメることによりポケット形成片１２に固定され、ラチェットレンチ挿通空間２２のポケット形成片１２の表面上に位置するように位置設定されている。
【００２１】
このような向き規定片３２は、下辺が完全に横方向における真ん中を中心に折り重ねられて真ん中が高いが、上辺は折り重ねられることがないので、向き規定片３２の横方向における中央部は上から下に行くに従ってポケット形成片１２の表面から遠ざかる（高くなる）。
従って、向き規定片３２は、ラチェットレンチ挿通空間２２を上から下へ行くに従って基板４から離れる向きに向きを規定する。
依って、ラチェットレンチ２８をラチェットレンチ挿通空間２２に収納したとき、ラチェットレンチ２８が下へ行くほど基板４側（身体側）に寄る方向に傾くことを防止することができる。
【００２２】
尚、向き規定手段として向き規定片３２を使用するのではなく、ラチェットレンチ挿通部形成片２０にその右側部分と左側部分とを縫製することとし、縫製ラインを上から下へ行くに従ってポケット形成片１２から遠ざかるように傾けるように形成するようにしても良い。
【産業上の利用可能性】
【００２３】
本考案は、少なくともラチェットレンチ収納部を備えた作業用ケースに広く産業上の利用可能性がある。
【符号の説明】
【００２４】
２・・・作業用ケース、４・・・基板、６・・・基板の上部、
８・・・ベルト挿通孔、１２・・・ポケット形成片、
２０・・・ラチェットレンチ挿通部形成片、
２２・・・ラチェットレンチ挿通空間、
３２・・・向き規定手段（向き規定片）。
【図１】
0003162053.tif 000003
【図２】
0003162053.tif 000004
【図３】
0003162053.tif 000005